(57)【要約】      （修正有）【課題】小型軽量でフレアが少なく倍率色収差が良好に補正された光学系を提供する。【解決手段】正の第１群Ｌ１、負の第２群Ｌ２、負の第３群Ｌ３を有する光学系で、第１群に回折光学素子を有し、第２群でフォーカスを行い、第３群を最大の空気間隔で分け、物体側を第３ａ群Ｌ３ａ、像側を第３ｂ群Ｌ３ｂとし、以下の条件式を満足する。2016102852.tif 000023ただし、ｆ：全系焦点距離ｆ１：第１群の焦点距離、ｆ２ｉ：第２群のｉ番目のレンズの焦点距離、ｆ３ｂｉ：第３ｂ群のｉ番目のレンズの焦点距離、ｖｄ２ｉ：第２群のｉ番目のレンズの材料のアッベ数、ｖｄ３ｂｉ：第３ｂ群のｉ番目のレンズの材料のアッベ数。【選択図】図１
2016102852.tif 000002
【特許請求の範囲】
【請求項１】
正の屈折力の第１群、負の屈折力の第２群、負の屈折力の第３群を有する光学系で、
第１群に回折光学素子を有し、第２群でフォーカスを行い、
第３群を第３群内において最大となる空気間隔で分け、物体側を第３ａ群、像側を第３ｂ群とし、
以下の条件式を満足することを特徴とする光学系。
2016102852.tif 000019
ただし、
ｆ：全系焦点距離
ｆ１：第１群の焦点距離
ｆ２ｉ：第２群のｉ番目のレンズの焦点距離
ｆ３ｂｉ：第３ｂ群のｉ番目のレンズの焦点距離
ｖｄ２ｉ：第２群のｉ番目のレンズの材料のアッベ数
ｖｄ３ｂｉ：第３ｂ群のｉ番目のレンズの材料のアッベ数
とする。
【請求項２】
第３ｂ群に光学素子を有し、前記光学素子は以下の条件式を満たすことを特徴とする請求項１に記載の光学系。
2016102852.tif 000020
ただし、
2016102852.tif 000021
とする。
【請求項３】
以下の条件式を満たすことを特徴とする請求項１に記載の光学系。
１０．０＜ｆｄｏｅ／ｆ＜２０．０・・・（５）
ただし、
ｆｄｏｅ：回折光学素子の焦点距離
とする。
【請求項４】
以下の条件式を満たすことを特徴とする請求項１に記載の光学系。
2016102852.tif 000022
ただし、
ｆ１ｉ：１群のｉ番目のレンズの焦点距離
ｖｄ１ｉ：１群のｉ番目のレンズのアッベ数
とする。
【請求項５】
以下の条件式を満たすことを特徴とする請求項１に記載の光学系。
０．０４０＜ａ／Ｌ＜０．０８５・・・（７）
ただし、
ａ：絞りから第２群の最も像側の面までの軸上間隔
Ｌ：第１群の最も物体側の面から像面までの軸上間隔
とする。
【請求項６】
以下の条件式を満たすことを特徴とする請求項１に記載の光学系。
−０．３０＜ｆ３／ｆ＜−０．１５・・・（８）
ｆ３：第３群の焦点距離
【請求項７】
以下の条件式を満たすことを特徴とする請求項１に記載の光学系。
０．６＜ｖｄ２ｐ／ｖｄ２ｎ＜１・・・（９）
ただし、
ｖｄ２ｐ：第２群の正レンズのアッベ数
ｖｄ２ｎ：第２群の負レンズのアッベ数
とする。
【発明の詳細な説明】
【技術分野】
【０００１】
本発明は、光学系に関し、例えば電子スチルカメラ、デジタル一眼レフカメラ、ＴＶカメラ（放送用）に好適なものである。
【背景技術】
【０００２】
一般的に、望遠レンズでは焦点距離が大きくなるに従って、全長が長くなる傾向がある。また焦点距離が長く、かつ大口径であるとレンズの重量が増大し、全長が小型化するに従って倍率色収差が増大する傾向がある。回折光学素子を用いて全長を小型化しつつ倍率色収差を補正したものとして、特許文献１、２が知られている。
【０００３】
特許文献１では、絞りよりも物体側と像側にそれぞれ回折光学素子を用いることで、小型で倍率色収差を小さく抑えた望遠レンズを得ている。特許文献２では、絞りよりも物体側に回折光学素子を、絞りよりも像側に異常分散材料を複数用いることで、小型で倍率色収差を小さく抑えた望遠レンズを得ている。
【先行技術文献】
【特許文献】
【０００４】
【特許文献１】特開２００９−２７１３５４号公報
【特許文献２】特開２０１３−２５０８７号公報
【発明の概要】
【発明が解決しようとする課題】
【０００５】
しかしながら、上述の特許文献１に開示された従来技術では、小型化はされているが絞りよりも物体側の回折光学素子のパワーが強く、格子のピッチが細かくなるため格子壁面の反射に起因するフレアがし易くなるという課題があった。また、比較的像側にも回折光学素子を配置しているために比較的強度の高い不要回折光が像面に到達し易く、フレアが更に増加する。特許文献２に開示された従来技術では、フォーカス群を絞りよりも物体側に離れて配置しているために、フォーカス径が大きくなって重くなるという課題があった。
【０００６】
本発明は、これら問題点に鑑みてなされたものであり、倍率色収差が良好に補正された、フォーカス群が小型軽量で、フレアが少なく、小型軽量の光学系を提供することを目的とする。
【課題を解決するための手段】
【０００７】
上記の目的を達成するために、本発明の光学系は、
正の屈折力の第１群、負の屈折力の第２群、負の屈折力の第３群を有する光学系で、
第１群に回折光学素子を有し、第２群でフォーカスを行い、
第３群を第３群内において最大となる空気間隔で分け、物体側を第３ａ群、像側を第３ｂ群とし、
以下の条件式を満足することを特徴とする。
2016102852.tif 000003
【０００８】
ただし、
ｆ：全系焦点距離
ｆ１：１群の焦点距離
ｆ２ｉ：２群のｉ番目のレンズの焦点距離
ｆ３ｂｉ：３ｂ群のｉ番目のレンズの焦点距離
ｖｄ２ｉ：２群のｉ番目のレンズの材料のアッベ数
ｖｄ３ｂｉ：３ｂ群のｉ番目のレンズの材料のアッベ数
とする。
【発明の効果】
【０００９】
本発明によれば、倍率色収差が良好に補正された、フォーカス群が小型軽量で、フレアが少なく、小型軽量の光学系の提供を実現できる。
【図面の簡単な説明】
【００１０】
【図１】本発明の数値実施例１の断面図
【図２】本発明の数値実施例１の収差図
【図３】本発明の数値実施例２の断面図
【図４】本発明の数値実施例２の収差図
【図５】本発明の数値実施例３の断面図
【図６】本発明の数値実施例３の収差図
【発明を実施するための形態】
【００１１】
以下に、本発明の好ましい実施の形態を、添付の図面に基づいて詳細に説明する。図１、３、５は、本発明の実施形態にかかわる数値実施例１〜３の断面図である。図２、４、６は、本発明の実施形態にかかわる数値実施例１〜３の収差図である。
【００１２】
各レンズ断面図において、ＧＢはガラスブロック、ＳＰは絞り、ＩＰは像面をあらわしている。各収差図において、ｄ、ｇは各々ｄ線及びｇ線、Ｍ、Ｓはメリジオナル像面、サジタル像面を表している。倍率色収差はｇ線であらわしている。
【００１３】
実施例１〜３は、物体側から順に正群、負群、負群から構成され、２群でフォーカスしている。
【００１４】
物体側から順に正の屈折力の群、負の屈折力の群という配置にすることで、焦点距離に対して全長を短縮する技術が知られている。更に全長を短縮するには、正の屈折力群あるいは負の屈折力の群のパワーを強める必要がある。
【００１５】
超望遠レンズでは、一般的に正の屈折力の第１群、負の屈折力の第２群、絞り、正または負の屈折力の第３群という構成をとる事が多い。第１群で大きく発生した倍率色収差を、第２群と第３群で逆方向に倍率色収差を発生させて光学系全体として補正している。小型化のために正の屈折力の第１群のパワーを強めると、第１群で発生する倍率色収差が大きくなる。倍率色収差を補正するには、第１群内で補正するか、第２群と第３群の倍率色収差を大きくする必要がある。
【００１６】
第１群に回折光学素子を用いて第１群で発生する倍率色収差を補正する技術は知られている。しかしながら、回折光学素子のみで第１群の倍率色収差を補正すると、回折光学素子のパワーが強くなりすぎ、格子のピッチが細かくなって格子壁面の反射に起因するフレアが多くなってしまう。また第１群で発生する倍率色収差を、第２群を絞りから離れて配置することで補正すると、フォーカス径が大型化して重くなるため好ましくない。
【００１７】
本実施形態では、第１群のパワーを強めることで全体の小型化を図っている。第１群のパワーを強めることで発生する倍率色収差を第１群に回折光学素子を配置することで補正している。その際にフレアが小さくなるように、回折光学素子のパワーが強くなりすぎないようにしている。回折光学素子で第１群の倍率色収差を補正しきれないので、第２群と第３群で倍率色収差を出すことで補正している。その際に、フォーカス群である第２群で倍率色収差を発生させるガラスの組み合わせにすることで、絞りに近く配置しても倍率色収差補正力を高めている。また、第３群を負屈折力にすることで全長短縮に有利な構成としている。
【００１８】
従来、本願のような思想のもとに、小型軽量でフレアの少ない、全体として倍率色収差が補正された光学系を提供する技術は提案されていない。以下、各実施形態について１つずつ説明する。
【実施例１】
【００１９】
以下、図１を参照して、本発明の第１の実施例による、レンズ構成について説明する。
図１に示すように、数値実施例１は正の屈折力の第１群、負の屈折力の第２群、負の屈折力の第３群から構成されている。フォーカスは第２群で行っている。第３群を負パワーにすることで全長短縮を図り、小型化している。
【００２０】
第１群の焦点距離と望遠端の全系焦点距離は以下の条件式を満たす。
【００２１】
０．２＜ｆ１／ｆｔ＜０．４        ・・・（１）
条件式（１）は第１群の焦点距離と望遠端の焦点距離の比を規定している。このパワー配置にする事で小型化に寄与している。
【００２２】
上限値を超えると、第１群の焦点距離が大きくなりすぎ、小型化が困難になるために好ましくない。下限値を超えると、第１群の焦点距離が小さくなり、第１群中の正レンズのパワーが強くなり過ぎ、１群内で発生する倍率色収差を補正することが困難になるために好ましくない。
【００２３】
第２群内のレンズは以下の条件式を満たす。
【００２４】
2016102852.tif 000004
【００２５】
条件式（２）は第２群内のレンズの焦点距離とアッベ数、全系焦点距離の関係を規定している。第２群の倍率色収差の発生量を表している。条件式の範囲内にすることで第１群で発生する倍率色収差を補正することができる。
【００２６】
上限値を超えると、第２群の倍率色収差の補正力が小さくなり、第１群で発生する倍率色収差の補正が困難になるために好ましくない。下限値を超えると、第２群の倍率色収差の補正力が過剰になり、第１群内で発生する倍率色収差を補正することが困難になるために好ましくない。また、フォーカス群である第２群で倍率色収差が過剰に発生すると、フォーカス時の倍率色収差変動が大きくなりすぎるために好ましくない。
【００２７】
３ｂ群内のレンズは以下の条件式を満たす。
【００２８】
2016102852.tif 000005
【００２９】
条件式（３）は第３ｂ群内のレンズの焦点距離とアッベ数、全系焦点距離の関係を規定している。第３ｂ群の倍率色収差の発生量を表している。条件式の範囲内にすることで第１群で発生する倍率色収差を補正することができる。
【００３０】
上限値を超えると、第３ｂ群の倍率色収差の補正力が過剰になり、第１群で発生する倍率色収差を補正することが困難になるために好ましくない。下限値を超えると、第３ｂ群の倍率色収差の補正力が小さくなり、第１群で発生する倍率色収差の補正が困難になるために好ましくない。
【００３１】
条件式（１）〜（３）を満たすことで、倍率色収差補正するために必要な１群の回折光学素子のパワーは強くなりすぎない範囲となる。それによって回折光学素子の格子のピッチが細かくなりすぎずにフレアが少なくなる。
【００３２】
倍率色収差が良好に補正された、フォーカス群が小型軽量で、フレアが少なく、小型軽量の望遠レンズを得ることができる。
【００３３】
更に好ましくは条件式（１ａ）を満たすと、小型化と倍率色収差の補正が、更に良好にできるので良い。
【００３４】
０．２５＜ｆ１／ｆｔ＜０．３８          （１ａ）
更に好ましくは条件式（１ｂ）を満たすと、小型化と倍率色収差の補正が、更に良好にできるので良い。
【００３５】
０．２５＜ｆ１／ｆｔ＜０．３５          （１ｂ）
更に好ましくは条件式（２ａ）を満たすと、倍率色収差の補正が、更に良好にできるので良い。
【００３６】
2016102852.tif 000006
【００３７】
更に好ましくは条件式（２ｂ）を満たすと、倍率色収差の補正が、更に良好にできるので良い。
【００３８】
2016102852.tif 000007
【００３９】
更に好ましくは条件式（３ａ）を満たすと、倍率色収差の補正が、更に良好にできるので良い。
【００４０】
2016102852.tif 000008
【００４１】
以上を満たすことで、倍率色収差が良好に補正された、フレアが少なく小型軽量な望遠レンズを得ることができる。
【００４２】
更に望ましくは以下の条件式を満たすと、倍率色収差が更に良好に補正された小型軽量な望遠レンズを得ることができるのでよい。第３ｂ群は以下の条件式を満たす光学素子を有する。
【００４３】
2016102852.tif 000009
【００４４】
ただし、
ｆｎ：光学素子の焦点距離
2016102852.tif 000010
【００４５】
とする。
【００４６】
条件式（４）は第３ｂ群に配置された光学素子の２次の倍率色収差の発生量を規定している。条件式の範囲を満たすことで第３ｂ群の２次の倍率色収差を補正できる。
【００４７】
上限値を超えると、光学素子の２次の倍率色収差が過剰になり、第１群内で発生する２次の倍率色収差を補正することが困難になるために好ましくない。下限値を超えると、光学素子の２次の倍率色収差が少なくなり、第１群内で発生する２次の倍率色収差を補正することが困難になるために好ましくない。
【００４８】
更に好ましくは条件式（４ａ）を満たすと、２次の倍率色収差補正が、更に良好にできるので良い。
【００４９】
2016102852.tif 000011
【００５０】
更に好ましくは条件式（４ｂ）を満たすと、２次の倍率色収差補正が、更に良好にできるので良い。
【００５１】
2016102852.tif 000012
【００５２】
第１群の回折光学素子は以下の条件式を満たす。
【００５３】
１０＜ｆｄｏｅ／ｆ＜２０            （５）
条件式（５）は第１群の回折光学素子の焦点距離の範囲を規定している。条件式（５）を満たすことでフレアと倍率色収差補正のバランスをとれる。
【００５４】
上限値を超えると、第１群の回折光学素子のパワーが弱くなり、倍率色収差補正が困難になるために好ましくない。下限値を超えると、第１群の回折光学素子のパワーが強くなり、格子のピッチが細かくなって格子壁面での反射が増えてしまうために好ましくない。
【００５５】
更に好ましくは条件式（５ａ）を満たすと、フレアが少なく、倍率色収差の補正が更に良好にできるので良い。
【００５６】
１２＜ｆｄｏｅ／ｆ＜２０            （５ａ）
第１群は以下の条件式を満たす。
【００５７】
2016102852.tif 000013
【００５８】
条件式（６）は第１群の１次の倍率色収差を規定している。
【００５９】
上限値を超えると、第１群の１次の倍率色収差が小さくなり、小型化することが困難になるために好ましくない。下限値を超えると、第１群の１次の倍率色収差が大きくなり、補正することが困難になるために好ましくない。
【００６０】
更に好ましくは条件式（６ａ）を満たすと、倍率色収差の補正が更に良好にできるので良い。
【００６１】
2016102852.tif 000014
【００６２】
第２群は以下の条件式を満たす。
【００６３】
０．０４０＜ａ／Ｌ＜０．０８５  ・・・（７）
ただし、
ａ：絞りから第２群の最も像側の面までの軸上間隔
Ｌ：第１群の最も物体側の面から像面までの軸上間隔
とする。
【００６４】
条件式は第２群の位置を規定している。条件式の範囲を満たすことでフォーカス群が絞りに近く配置でき、フォーカス群が軽量化できる。
【００６５】
上限値を超えると、第２群が絞り近くに配置されすぎ、第１群で発生する倍率色収差を補正することが困難になるために好ましくない。下限値を超えると、第２群が絞りから離れて配置されすぎ、第２群の径が大型化してフォーカス群の軽量化が困難になるために好ましくない。
【００６６】
更に好ましくは条件式（７ａ）を満たすと、倍率色収差の補正が、更に良好にできるので良い。
０．０４０＜ａ／Ｌ＜０．０８０・・・（７ａ）
第３群は以下の条件式を満たす。
【００６７】
−０．２５＜ｆ３／ｆ＜−０．１５      （８）
ただし、
ｆ３：第３群の焦点距離
とする。
【００６８】
条件式（８）は第３群の焦点距離と全系焦点距離の比を規定している。条件式の範囲内にすることで小型化が可能となる。
【００６９】
上限値を超えると、第３群の焦点距離が大きくなり、小型化することが困難になるために好ましくない。下限値を超えると、第３群の焦点距離が小さくなり、第３群で発生する倍率色収差の補正が困難になるために好ましくない。
【００７０】
更に好ましくは条件式（８ａ）を満たすと、小型化と倍率色収差の補正が、更に良好にできるので良い。
【００７１】
−０．２５＜ｆ３／ｆ＜−０．２          （８ａ）
第２群は以下の条件式を満たす。
【００７２】
０．６＜ｖｄ２ｐ／ｖｄ２ｎ＜１            （９）
ただし、
ｖｄ２ｐ：第２群の最もパワーの強い正レンズのアッベ数
ｖｄ２ｎ：第２群の最もパワーの強い負レンズのアッベ数
とする。
【００７３】
条件式は第２群の最もパワーの強い正レンズと最もパワーの強い負レンズのアッベ数の比を規定している。条件式の範囲内にすることで第２群の倍率色収差を発生させ、第１群で発生する倍率色収差を補正することが可能となる。
【００７４】
上限値を超えると、正レンズのアッベ数が大きくなり、第２群の倍率色収差を補正することが困難になるために好ましくない。下限値を超えると、正レンズのアッベ数が小さくなり、第２群で発生する倍率色収差が過剰となるために好ましくない。
【００７５】
更に好ましくは条件式（９ａ）を満たすと、小型化と倍率色収差の補正が、更に良好にできるので良い。
【００７６】
０．６５＜ｖｄ２ｐ／ｖｄ２ｎ＜１        （９ａ）
【実施例２】
【００７７】
図３を参照して、本発明の第２の実施例による構成について説明する。図３に示すように、数値実施例２は正の屈折力の第１群、負の屈折力の第２群、負の屈折力の第３群から構成されている。フォーカスは第２群で行っている。第３群を負パワーにすることで小型化している。数値実施例１と比べて焦点距離を長くしている。数値実施例のなかで条件式（１）の値が最も大きい。条件式（３）の値は最も小さく、数値実施例の中では倍率色収差補正を優先した例である。
【実施例３】
【００７８】
図３を参照して、本発明の第３の実施例による構成について説明する。図３に示すように、数値実施例３は正の屈折力の第１群、負の屈折力の第２群、負の屈折力の第３群から構成されている。フォーカスは第２群で行っている。第３群を負パワーにすることで小型化している。数値実施例１と比べて焦点距離を短くしている。本実施例は、条件式（１）の値が小さく、他の実施例と比べて第１群のパワーを強くしている。それによって発生する倍率色収差を補正するために回折光学素子のパワーを強めている。数値実施例のなかで条件式（３）の値が最も大きく、第３ｂ群で倍率色収差を出している。第１群で発生する倍率色収差を補正するためである。
【００７９】
次に本発明の数値実施例を示す。数値実施例において、ｒｉは物体側より順に第ｉ番目のレンズ面の曲率半径、ｄｉは第ｉ番目のレンズ厚または空気間隔、ｎｉとｙｉは第ｉ番目のレンズの材質の屈折率とアッベ数である。また、非球面形状はレンズ面の中心部の曲率半径をＲとし、光軸方向をＸ軸とし、光軸と垂直方向をＹ軸とし、非球面係数をＡｉ（ｉ＝１，２，３…）としたとき、
Ｘ＝            （１／Ｒ）Ｙ２                                        
１＋｛１―（Ｋ＋１）（Ｙ／Ｒ）２｝１／２    
＋Ａ４Ｙ４＋Ａ６Ｙ６＋Ａ８Ｙ８＋Ａ１０Ｙ１０＋・・・
であらわされるものとする。
【００８０】
数値実施例  １
単位 mm
面データ
面番号       r        d      nd         vd       
2016102852.tif 000015
【００８１】
1        120.955   22.35   1.48749    70.2           
2        557.986   27.29                             
3*       156.437   13.08   1.59282    68.6           
4        686.991   24.72                             
5        751.422    5.00   1.88300    40.8           
6(回折)   83.297   17.55   1.48749    70.2           
7       -701.076  (可変)                             
8        133.468    3.31   1.80809    22.8           
9       1289.503    3.00   1.90366    31.3           
10         81.704  (可変)                             
11(絞り)    ∞       8.00                             
12*       -31.219    2.03   1.85400    40.4           
13        -39.572    0.20                             
14        154.214    1.50   1.80400    46.6           
15         27.058    5.42   1.51633    64.1           
16        -46.555    1.68                             
17        116.962    1.50   1.80400    46.6           
18         48.137    1.40                             
19       -132.787    3.09   1.80809    22.8           
20        -32.711    1.50   1.88300    40.8           
21        105.528    2.76                             
22         55.197    3.39   1.54072    47.2           
23       -216.611   27.43                             
24        130.712    8.16   1.61340    44.3           
25        -32.811    2.00   1.59282    68.6           
26         51.978    0.74                             
27         61.504    2.00   1.67790    55.3           
28         96.208    0.10   1.61100    20.4           0.716 
29         42.908    6.02   1.73800    32.3           
30        277.035  (可変)                             
31          ∞       2.49   1.51633    64.2           
32          ∞     (可変)                             
像面        ∞   
非球面データ
第3面
K = 0.00000e+000  A 4=-5.35611e-008  A 6=-3.59329e-012  A 8=-1.48758e-016  A10=-7.99399e-022  A12= 1.13792e-025  
第6面(回折面)
A 2=-3.62643e-005  A 4=-1.07342e-009  A 6=-3.80452e-013  
第12面
K = 0.00000e+000  A 4= 1.44096e-006  A 6= 1.34360e-009  A 8= 4.57201e-011  A10=-5.59141e-013  A12= 2.02478e-015  
各種データ
ズーム比      1.00 
焦点距離     780.00  
Fナンバー      5.80  
画角           1.59  
像高          21.64  
レンズ全長   389.21  
BF             0.40  
d 7           70.78  
d10           53.10  
d30           67.23  
d32            0.40  
ズームレンズ群データ
群  始面    焦点距離  
1    1     253.45  
2    8    -212.64  
3   11    -180.00  
GB  31       ∞    
数値実施例  ２
単位 mm
面データ
面番号       r        d      nd         vd       
2016102852.tif 000016
【００８２】
1        151.727   28.30   1.48749    70.2           
2        663.719   35.00                             
3*       196.865   16.01   1.59282    68.6           
4        847.194   30.59                             
5        853.567    6.25   1.88300    40.8           
6(回折)  105.305   21.20   1.48749    70.2           
7      -1056.560  (可変)                             
8        159.931    3.82   1.80809    22.8           
9        839.875    3.75   1.90366    31.3           
10        102.322  (可変)                             
11(絞り)    ∞       8.63                             
12*       -37.340    2.50   1.85400    40.4           
13        -48.342    0.25                             
14        170.053    1.88   1.80400    46.6           
15         34.704    7.23   1.51633    64.1           
16        -61.721    2.85                             
17        137.094    1.88   1.80400    46.6           
18         57.432    1.60                             
19       -190.784    3.99   1.80809    22.8           
20        -44.288    1.88   1.88300    40.8           
21        146.725    2.69                             
22         71.687    3.70   1.54072    47.2           
23       -250.134   34.29                             
24        166.927    8.48   1.61340    44.3           
25        -37.028    2.50   1.59282    68.6           
26         63.943    1.04                             
27         79.270    2.50   1.67790    55.3           
28        116.408    0.13   1.61100    20.4          0.716  
29         50.748    6.61   1.73800    32.3           
30        346.763  (可変)                             
31          ∞       3.11   1.52300    58.6           
32          ∞     (可変)                             
像面        ∞   
非球面データ
第3面
K = 0.00000e+000  A 4=-2.72113e-008  A 6=-1.06221e-012  A 8=-5.97082e-017  A10= 4.91996e-021  A12=-3.12557e-025  
第6面(回折面)
A 2=-2.84387e-005  A 4=-5.96639e-010  A 6=-1.15879e-013  
第12面
K = 0.00000e+000  A 4= 1.14826e-006  A 6=-1.19126e-009  A 8= 2.71536e-011  A10=-1.63390e-013  A12= 3.53309e-016  
各種データ
ズーム比      1.00 
焦点距離     950.00  
Fナンバー      5.80  
画角           1.30  
像高          21.64  
レンズ全長   485.94  
BF             0.40  
d 7           88.98  
d10           69.64  
d30           84.26  
d32            0.40  
ズームレンズ群データ
群  始面    焦点距離  
1    1     321.92  
2    8    -287.19  
3   11    -225.00  
GB  31       ∞    
数値実施例  ３
単位 mm
面データ
面番号       r        d      nd         vd        
2016102852.tif 000017
【００８３】
1         87.207   17.03   1.48749    70.2           
2        362.023   23.34                             
3*       112.466    9.89   1.59282    68.6           
4        574.612   15.52                             
5        520.196    3.75   1.88300    40.8           
6(回折)   61.096   14.23   1.48749    70.2           
7       -314.637  (可変)                             
8        125.079    2.30   1.80809    22.8           
9      -1200.013    2.25   1.90366    31.3           
10         72.273  (可変)                             
11(絞り)    ∞       5.90                             
12*       -26.836    1.50   1.85400    40.4           
13        -34.122    0.15                             
14        306.335    1.13   1.80400    46.6           
15         20.716    5.75   1.51633    64.1           
16        -29.923    1.16                             
17        151.598    1.13   1.80400    46.6           
18         40.302    1.46                             
19        -73.137    2.27   1.80809    22.8           
20        -27.217    1.13   1.88300    40.8           
21         94.937    0.97                             
22         40.936    3.92   1.54072    47.2           
23       -129.681   20.57                             
24         82.222    4.64   1.61340    44.3           
25        -40.867    1.50   1.59282    68.6           
26         42.407   11.41                             
27         66.490    1.50   1.67790    55.3           
28         66.086    0.08   1.61100    20.4           0.716 
29         41.044    5.02   1.73800    32.3           
30       1098.240  (可変)                             
31          ∞       1.87   1.51633    64.1           
32          ∞     (可変)                             
像面        ∞   
非球面データ
第3面
K = 0.00000e+000  A 4=-1.71912e-007  A 6=-2.80664e-011  A 8= 2.56859e-015  A10=-1.56287e-018  A12= 2.43224e-022  
第6面(回折面)
A 2=-4.98402e-005  A 4=-2.76046e-009  A 6=-1.48210e-012  
第12面
K = 0.00000e+000  A 4=-8.24326e-007  A 6= 8.78063e-008  A 8=-1.64088e-009  A10= 1.63914e-011  A12=-6.45928e-014  
各種データ
ズーム比      1.00 
焦点距離     585.00  
Fナンバー      5.80  
画角           2.12  
像高          21.64  
レンズ全長   292.50  
BF             0.40  
d 7           47.25  
d10           26.19  
d30           57.31  
d32            0.40  
ズームレンズ群データ
群  始面    焦点距離  
1    1     170.02  
2    8    -168.79  
3   11    -153.40  
GB  31       ∞    
表１に本発明の上述した条件式と数値実施例の関係を示す。
【００８４】
【表１】
2016102852.tif 000018
【００８５】
以上、本発明の好ましい実施形態について説明したが、本発明はこれらの実施形態に限定されず、その要旨の範囲内で種々の変形及び変更が可能である。
【符号の説明】
【００８６】
Ｌ１  １群、Ｌ２  ２群、Ｌ３  ３群、Ｌ３ａ  ３ａ群、Ｌ３ｂ  ３ｂ群、ＳＰ  絞り、
ＩＰ  像面、ｄ  ｄ線、ｇ  ｇ線、Ｓ  サジタル像面、Ｍ  メリディオナル像面、
Ｆｎｏ  Ｆナンバー、ω  半画角
【図１】
2016102852.tif 000024
【図２】
2016102852.tif 000025
【図３】
2016102852.tif 000026
【図４】
2016102852.tif 000027
【図５】
2016102852.tif 000028
【図６】
2016102852.tif 000029